(57)【要約】      （修正有）【課題】  針が様々な理由のためにゆがんでいく場合に上下ステッチ動作において糸を通した針がボビンバスケットの表面に当たるために生じる磨耗からプラスチック製ボビンバスケットを保護するためのミシンにおける針受けを提供する。【解決手段】  グリッパーフック１先端が上糸を捕らえ、上糸をボビンバスケット４回りに案内して、それによって糸が上に戻っていく際に下糸との相互作用で縫いを形成するようなグリッパーフックにおいて、グリッパーフックは、通常進む正しい位置関係から針の先端が押し出される場合に針５が下方にもたらされる状況で針に当たることからボビンバスケットを保護すべく少なくとも側壁３にとって十分に広いシリンダ状側壁を有する。【選択図】図３
2004181235.tif 000002
【特許請求の範囲】
【請求項１】
垂直に装着された上糸用針（５）、縫い板、当該縫い板の下方に位置したハウジング、ボビンバスケット（４）を備える本縫いミシンにおけるグリッパーフック（１）にして、上記ハウジングは開きシリンダ内に形成され水平軸線に回転可能に装着された上記グリッパーフック（１）を収容し、上記ボビンバスケットはグリッパーフック（１）の内側に同心に支持されボビンケースを受けるための開きシリンダとして構成され、ボビンケースは下糸用ボビンを収め、針（５）は縫いを実行するにおいてボビンバスケット（４）の壁における開口（１１）を通ってグリッパーフック（１）の開き部分の前で回転するグリッパーフックの軸線に対し垂直に下方にもたらされることで、グリッパーフック先端が上糸を捕らえ、上糸をボビンバスケット（４）回りに案内して、それによって糸が上に戻っていく際に下糸との相互作用で縫いを形成するようなグリッパーフックにおいて、
グリッパーフック（１）は、通常進む正しい位置関係から針の先端が押し出される場合に針（５）が下方にもたらされる状況で針（５）に当たることからボビンバスケット（４）を保護すべく少なくとも側壁（３）にとって十分に広いシリンダ状側壁（３）を有することを特徴とするグリッパーフック。
【請求項２】
グリッパーフック（１）が基礎面Ｃにて円形状をした底板（２）を有し、グリッパーフック（１）の側壁（３）が上記底板（２）から出て基礎面Ｃから幅Ｗに延在しており、ボビンバスケット（４）における針（５）のための開口（１１）の縁部にまで至る基礎面Ｃからの間隔だけ隔たった距離Ｓからの幅Ｗの偏差Ｓ−Ｗは、グリッパーフック（１）の回転の間に針（５）の垂直線のすぐ前で且つ同時に針の先端より下方か同レベルに位置する少なくとも側壁（３）の部分に沿って、０ｍｍ＜Ｓ−Ｗ＜０．３ｍｍの範囲にあるような、請求項１に記載のグリッパーフック（１）。
【請求項３】
グリッパーフック（１）の側壁（３）が、針（５）に面し面取りされた環状縁部を有し、その結果、針先端がボビンバスケット（４）における開口（１１）に向かって下へ案内されるような、請求項１又は２に記載のグリッパーフック（１）。
【請求項４】
側壁（３）の背面に最も近い側壁（３）の部分が、側壁の残り部分と隅から隅まで適合した取り外し可能なグリッパーフック帯輪（１３）でなるような、請求項１に記載のグリッパーフック（１）。
【請求項５】
グリッパーフック帯輪（１３）が少なくともその周囲の半分を超えて広めであるような、請求項４に記載のグリッパーフック（１）。
【請求項６】
側壁（３）の背面に最も近い側壁（３）の部分が、側壁（３）の内側に取り付けられた取り外し可能なグリッパーフック帯輪（１３）でなり、側壁が少なくともその周囲の半分を超えて広めであるような、請求項１に記載のグリッパーフック（１）。
【請求項７】
垂直に装着された上糸用針（５）、縫い板、当該縫い板の下方にあり開きシリンダ内に実質的に形成され且つ水平軸線に回転可能に装着されたグリッパーフック（１）を収容するハウジング、上記グリッパーフック（１）の内側に同心に支持され下糸用ボビンを収容するボビンケースを受ける開きシリンダとして構成されたボビンバスケット（４）を備える本縫いミシンにおける針の上下運動において針に当たることからボビンバスケットを保護するための方法において、
−ボビンバスケット（４）が、針の最も低い位置で水平方向に針（５）を支持するためにボビンバスケットの壁の最上部分に針支持部（１２）を備えて構成されること、
−当該針支持部（１２）が、針（５）が針支持部に当たることができないような程度に針支持部（１２）を覆うべく側壁にとって十分に広いグリッパーフック（１）のシリンダ状側壁（３）によってステッチを縫う間に針（５）から保護されること
を特徴とする保護方法。
【請求項８】
全体的にプラスチック材料で作られたボビンバスケット（４）の使用を可能にするための、請求項１に記載の本縫いミシンにおけるグリッパーフックの使用法。
【発明の詳細な説明】
【技術分野】
【０００１】
本発明は、針が様々な理由のためにゆがんでいく場合に上下ステッチ動作において糸を通した針がボビンバスケットの表面に当たるという事実のために生じる磨耗からプラスチック製ボビンバスケットを保護するためのミシンにおける装置と方法に関するものである。
【背景技術】
【０００２】
本縫い機械における回転グリッパーフックに関する従来技術の例は、特許文献１や特許文献２やその他で認められる。上記文献には、以前は普通に行われていたようにスチールからボビンバスケットを作る代わりにプラスチック製ボビンバスケットを用いることの利点が記載されている。
【０００３】
専門用語を説明するために、従来技術の例を図１及び図２を参照して記載する。これら図は、ミシン駆動要素につながった水平軸に装着されることを予定されている回転グリッパーフックを示す。当該回転グリッパーフックは、シリンダ状側壁３を備えた円形状をした底板２でなり、上記側壁は底板の周囲から一方方向へ垂直に延在する。グリッパーフックにおけるシリンダ状窪みの内側で、ボビンバスケット４がグリッパーフックと同心に支持されている。ボビンバスケット４はボビンケース（図示せず）を収容し、この中には下糸を有したボビンが装着可能である。ボビンバスケット４は、当該ボビンバスケット周りに存するフランジ６をグリッパーフック側壁３の最上部において内側に向いたノッチ７に固定することによって、上記窪み内に装着される。そしてボビンバスケットは、側壁の円状背面に円形帯輪８を固定することによって適所に保持され、ボビンバスケットに対して摺動回転可能（止め部によって動かなくなっている）なグリッパーフックに溝９が形成される。鉛直に且つグリッパーフックに近接して、その目穴に通して上糸を担持する針５が装着され、上下に作動する。ステッチを縫うにあたって、針の先端は先ず回転する帯輪の外側で且つボビンバスケットの壁の小さな開口を通って下げられる。上記開口は、針の先端がボビンバスケットの周囲壁を通ってボビンバスケットに貫入する際に、周壁に沿って現れている。グリッパーフックに、針が折り返す際に上糸に形成されるループを捕らえるグリッパーフック先端１０があり、その回転にも拘わらずグリッパーフックは、針が上方に折り返される際に、ボビンバスケットの内側に位置した下糸との相互作用によってステッチを形成する過程においてボビンバスケットの回りで上糸を担持する。
【０００４】
或る条件下では、布地を刺繍する際に、あるいは例えば厚い生地を縫う際に、針が側方力のために僅かに傾くようになるか、側方力によって横向きに押されることが起こり得る。このような状況においては、ボビンバスケットの壁の上側外部分に針先端が突き当たる危険がある。上記した文献の明細書に係る従来技術において、この問題は、針に向いた頂部でボビンバスケットの壁の外側部分をスチール製針受け１２で補強することによって解決される。この針受け１２は、製造に関してプラスチック製ボビンバスケットが多数のステージで針受け１２を形成する小さなスチール片と統合されなければならないので、ボビンバスケットの製造を複雑化する。これによって、ボビンバスケットを製造するコストが不必要に高くなる。
【０００５】
【特許文献１】米国特許第４８５８５４３号明細書
【特許文献２】米国特許第５１８８０４６号明細書
【発明の開示】
【課題を解決するための手段】
【０００６】
本発明の一つのアスペクトによれば、これは、本縫いミシンにグリッパーフックを備えることに関している。上記ミシンは、垂直に装着された上糸用針、開きシリンダ内にほぼ形成され水平軸に回転可能に支持された上記グリッパーフックを収容するハウジングの上方にある縫い板、グリッパーフックの内側に同心に支持されボビンケースを受けるための開きシリンダとして形成されたボビンバスケットを備えて成り、上記ボビンケースは下糸用のボビンを収納し、針が縫いを実施するにあたり回転グリッパーフックの開き部分の前でグリッパーフックの軸線に対し垂直にボビンバスケットの壁における開口を通って下げられ、グリッパーフック先端は上糸を捉え、当該上糸をボビンバスケットの回りに導き、進行中に針が折り返して上がる際に下糸との相互作用によって縫いを形成する。グリッパーフックは、針が正常に作動する配列から外れて針の先端に力が加わる場合に針が下方に動く状況で、ボビンバスケットが針によって叩かれるないように少なくとも十分に広いシリンダ状の側壁を有する。
【０００７】
好適な実施態様において、従来技術によれば側壁（全体的に広めに作られている）の背後につけられるグリッパーフックの帯輪は、従来技術に従えば一般的であるものよりもいくらか広めに形成される。この明細書において用語「広さ」はグリッパーフックの長手方向における広がり程度に関している。
【０００８】
グリッパーフックの側壁が本発明にしたがって広めに作られる場合、グリッパーフックと当該グリッパーフックに向いた針の他方の側での対向壁との間の空間が制限されすぎることになる事実のために、針ターンを生じなければならないループの形成が反対に作用されることになる危険がある。その結果、回転グリッパーフック先端が上記ループを外して縫い損なう可能性がある。本発明の一つの実施態様は、糸のループを形成する間に回転グリッパーフックに対し針が上に位置するグリッパーフック側壁の周囲の部分に沿ってのみ側壁が全幅で作られることで、これに対する解決を与える。
【０００９】
この提案にしたがってグリッパーフックを構成することは、ボビンバスケットが全体的にプラスチックで作られ得て、このボビンバスケットの製造をより容易に且つ高価でなくすることを意味する。
【発明を実施するための最良の形態】
【００１０】
図１は、ミシン駆動要素につながる水平軸線に取り付け予定である回転グリッパーフック１の公知の実施形態を示す。当該回転グリッパーフックは、シリンダ状側壁３を備えた円形状の底板２で成っている。上記側壁は底壁の周縁から垂直に出て一方向に延びている。グリッパーフックにおけるシリンダ状窪みの内側で、ボビンバスケット４がグリッパーフックと同心に支持されている。ボビンバスケット４はボビンケース（図示せず）を収容し、その中には下糸を備えたボビンが取り付け可能である。ボビンバスケット４は、当該ボビンバスケットの実質上全周に及んでいるフランジ６をグリッパーフック側壁３の最上部にある内向きノッチ７内に嵌め込むことによって上記窪みに取り付けられる。グリッパーフック１のシリンダ状側壁３は、円形帯輪、即ち、グリッパーフック帯輪８をグリッパーフックの開放端に備えて成っている。ボビンバスケット４はグリッパーフックの帯輪８によって適所に保持される。グリッパーフックの帯輪は、上記ノッチ７との相互作用によってグリッパーフック１の側壁３において固定することを介して、溝９を形成する。当該溝によって、止め部によって移動不能にされたボビンバスケットに対するグリッパーフックの摺動・回転動作が可能である。ここで言及するグリッパーフックの帯輪８は完全な円ではない。なぜなら、そのことが糸がボビンバスケット回りに担持されることを妨げることになるからである。垂直に且つグリッパーフックに隣接して、その目穴にかけられた上糸を有する針５が取り付けられ、上下に往復動する。ステッチを縫うにあたり、針の先端は先ず外側に下ろされ、ボビンバスケットの壁における小さな開口１１を通って回転グリッパーフックに対し上げられる。この開口は、針の先端が半径方向にボビンバスケットの周壁を通ってボビンバスケット内に突入するときに上記周壁に沿って生じるのみである。グリッパーフックに、針が上方に折り返すときに上糸に形成されたループを捕らえるグリッパーフック先端１０がある。グリッパーフックはその回転にもかかわらず、図１に示すように、針が上方へ折り返されるときに、ボビンバスケットの内側にある下糸との相互作用によってステッチを形成するプロセスにおいてボビンバスケット４回りに上糸を担持する。開口１１の内縁に、針を水平方向に支持するための針支持部１２がある。本発明に係るボビンバスケットにおいては、この針支持部１２はプラスチックで作られボビンバスケットと一体的に成型可能である。
【００１１】
本発明の変形例によれば、グリッパーフックの側壁３は、ボビンバスケットにおける開口１１に実質的にきっかり至るまで延在するように、つまりボビンバスケットでの針支持部１２の外縁に実質的にきっかり至るまで延在するように構成される。それは図３から認識可能である。したがって針はその下に向かう動きにおいて開口１１内に正しく案内され、水平方向において針支持部１２に対し支持されることになる。如何なる理由であれ針が力づくで曲げられ、傾斜し或いは側方に押されるならば、針はグリッパーフックの側壁３の最も外側の上部分に当たることになり、したがって、針支持部がさもなければ当たってしまうような方向の動きを針の先端がしたとしても、下にある針支持部１２を保護することになる。側壁の最も外側の部分は更に、或る角度をなして面取りされており、たとえ針が現在従っているラインが針の動きの正しい位置関係から僅かにずれても、針は開口１１内に導き下げられる。ボビンバスケットを適所に維持するために、先に述べたように、完全でないリングの形状をした帯輪１３が取り付けられ、これは、溝９を同時にもたらすために、その最も外側部分で側壁３の内側に添えられ、あるいは側壁３の取り外し可能な広がり部として形成されている。上記溝によってグリッパーフックは、その回転においてボビンバスケットのフランジ６上を走るようになっている。
【００１２】
本発明の目的を更に描くために、図３はどのようにグリッパーフック底板２が基礎面Ｃにあるかを示している。底板２からシリンダ状側壁３は一方方向において基礎面Ｃから垂直外方へ延びている。図において、基礎面Ｃから針５に向いたその背面までで測った（グリッパーフック帯輪１３を含めて）グリッパーフック側壁３の幅はＷで表されている。（グリッパーフック帯輪１３を含めて）グリッパーフック側壁３の幅は、側壁が針支持部１２の外縁に実質的にきっかり至るまで延在するよう、あるいはボビンバスケット４における開口１１の内縁に実質的にきっかり至るまでの別の進路にそれをおくようになっている。この距離、即ち、基礎面Ｃから針支持部１２の外縁までの間隔は図３において距離Ｓで示される。本発明によれば、基礎面Ｃからのグリッパーフック１の側壁３の幅Ｗは、ほぼ距離Ｓに等しい。偏差Ｓ−Ｗは０ｍｍ＜Ｓ−Ｗ＜０．３ｍｍの範囲にある。
【００１３】
グリッパーフック側壁の外側環状部分が通常、取り外し可能なグリッパーフック帯輪１３として構成され、その機能はまた側壁３の残り部分にグリッパーフック帯輪を適合させることで生じる溝９に支持されたグリッパーフックでボビンバスケットを適所に保持することにあるので、本発明の目的は多数の異なるやり方で達成可能である。本発明の第一例は図３に示されるように、側壁３のシリンダ状部分が単にノッチ７に至るまで延在し、グリッパーフック帯輪１３が側壁３の上記シリンダ状部分の環状端部に接続するように、構成される。この場合、グリッパーフック帯輪１３は、グリッパーフック帯輪の幅が側壁のシリンダ状部分と共に上記に係る幅Ｗを増すような幅を有する。本発明の他の例では、シリンダ状側壁は上記に係る幅Ｗで成る全幅を有して構成され、上記側壁３は、この実施態様においては側壁３の内側に適合した環状グリッパーフック帯輪１３と共に溝９を生じるノッチ７を有し、形成された溝９内にボビンバスケット４をロックする。
【００１４】
既に述べたように、グリッパーフック側壁３の幅広い構成は、針５がその最も低い位置から上方に折り返す際に糸ループの形成に不利に影響し得る。これを解決するために、側壁は、針が上方に折り返し前記ループを形成する際に先端で針位置を過ぎて回転するグリッパーフック側壁の部分において幅Ｗよりも狭く形成され得る。そのような実施態様は図５に示されており、グリッパーフック帯輪１３は針が最も低い位置で折り返す際に針位置に隣接する側壁３の部分で狭めに構成される。これは、グリッパーフック帯輪１３の上部分に示されている。同じように、側壁が図４における例に係る全幅で作られるならば、側壁はグリッパーフック側壁３が針とその折り返し位置で対向する位置において幅Ｗよりも狭めに作られている。
【図面の簡単な説明】
【００１５】
【図１】グリッパーフック、ボビンバスケット、ボビンケース、ボビン及び針を通る長手方向横断面図であって、従来技術にしたがってどのようにグリッパーフック先端が針の後ろの糸ループを捕まえるかを説明する。
【図２】従来技術に係る、ボビンバスケットと針を有したグリッパーフックを通る長手方向断面での横断面形態を概略的に示す図である。
【図３】本発明の一つのアスペクトにかかる、ボビンバスケットと針を有したグリッパーフックを通る対応した長手方向断面での横断面形態を概略的に示す図である。
【図４】本発明に係るグリッパーフック側壁の構成パリエーションにおける横断面形態を示す図である。
【図５】針が上昇する際の糸ループの形成を示し、糸ループを形成するにおいてグリッパーフック側壁がその回転中に針を通るところの周囲の部分でグリッパーフック側壁が狭い実施態様を示す図である。
【符号の説明】
【００１６】
１    グリッパーフック
３    側壁
４    ボビンバスケット
５    針
１１  開口
【図１】
2004181235.tif 000003
【図２】
2004181235.tif 000004
【図３】
2004181235.tif 000005
【図４】
2004181235.tif 000006
【図５】
2004181235.tif 000007